(57)【要約】【課題】毛髪部材を容易に取り換えることができ、毛髪部材を切るヘアカット遊びを繰り返すことができる人形玩具を提供すること。【解決手段】人形用の頭部本体１０と、頭部本体１０に形成された第１開口１２及び第２開口１３と、頭部本体に収容されて一方の端部２０ａが第１開口１２に嵌合すると共に他方の端部２０ｂが第２開口１３に対向したパイプ部材２０と、パイプ部材２０に差し込まれ、頭部本体１０に対して着脱可能に係止される毛髪クリップ３０と、毛髪クリップ３０に着脱可能に保持され、毛髪クリップ３０がパイプ部材２０に差し込まれた状態でパイプ部材２０から露出する毛髪部材４０と、を備えた構成とした。【選択図】図１
2019187889.tif 000002
【特許請求の範囲】
【請求項１】
人形用の頭部本体と、
前記頭部本体に形成された孔部と、
前記孔部に差し込まれ、前記頭部本体に対して着脱可能に係止される差込部材と、
前記差込部材に着脱可能に保持され、前記差込部材が前記孔部に差し込まれた状態で、前記孔部から露出する毛髪部材と、
を備えたことを特徴とする人形玩具。
【請求項２】
請求項１に記載された人形玩具において、
前記差込部材は、周方向の一部が破断されると共に前記周方向に弾性変形可能な環状の基部と、前記基部の一端から延びる第１脚部と、前記基部の他端から延びる第２脚部とを有し、前記基部の弾性力に抗して前記第１脚部と前記第２脚部とが近接する毛髪クリップであり、
前記毛髪クリップは、前記第１脚部と前記第２脚部との先端間隔が、前記基部の自然状態で前記孔部の内径よりも大きくなり、前記第１脚部と前記第２脚部とが近接したときの幅が、前記孔部への差し込み途中状態で前記孔部の内径よりも小さくなるように設定されると共に、前記基部の弾性力により前記頭部本体に対して係止される
ことを特徴とする人形玩具。
【請求項３】
請求項２に記載された人形玩具において、
前記毛髪クリップは、前記第１脚部の先端部と前記第２脚部の先端部とのそれぞれに、互いに反対方向に突出した爪部が形成され、
前記孔部は、前記爪部を係止する係止部を有する
ことを特徴とする人形玩具。
【請求項４】
請求項２又は請求項３に記載された人形玩具において、
前記孔部は、前記頭部本体を上下方向に貫通し、前記頭部本体の上部に開放した第１開口部と、前記頭部本体の下部に開放した第２開口部とを有し、
前記毛髪クリップは、前記孔部への差し込み完了状態で、前記第１脚部の先端部及び前記第２脚部の先端部が前記第２開口部から突出する
ことを特徴とする人形玩具。
【請求項５】
請求項２から請求項４のいずれか一項に記載された人形玩具において、
前記毛髪クリップは、前記基部の内側面から中心に向けて突出した複数のリブが形成されている
こと特徴とする人形玩具。
【発明の詳細な説明】
【技術分野】
【０００１】
本発明は、頭部本体に毛髪部材が設けられた人形玩具に関する発明である。
【背景技術】
【０００２】
従来、毛髪部材の一端が取り付けられた固定部材を、人形用の頭部本体に形成された孔部に挿入し、この孔部の内部に設けられた押出し機構に取り付ける。そして、この押出し機構によって固定部材を引込位置から伸長位置に向けて押し出すことで、孔部から突出する毛髪部材の長さを調節する人形玩具が知られている（例えば、特許文献１参照）。
【先行技術文献】
【特許文献】
【０００３】
【特許文献１】特開平１−２７４７９１号公報
【発明の概要】
【発明が解決しようとする課題】
【０００４】
ところで、従来の人形玩具では、孔部内での固定部材の位置によって毛髪部材の長さを変えることはできるものの、毛髪部材は、固定部材を介して頭部本体に固定されており、取り換えることができなかった。そのため、毛髪部材を切ってしまうと人形が短髪状態になってしまい、気軽に毛髪部材を切ることが難しかった。
【０００５】
本発明は、上記問題に着目してなされたもので、毛髪部材を容易に取り換えることができ、毛髪部材を切る遊びであるヘアカット遊びを繰り返すことができる人形玩具を提供することを目的とする。
【課題を解決するための手段】
【０００６】
上記目的を達成するため、本発明は、人形用の頭部本体と、頭部本体に形成された孔部と、孔部に差し込まれ、頭部本体に対して着脱可能に係止される差込部材と、差込部材に着脱可能に保持され、差込部材が孔部に差し込まれた状態で孔部から露出する毛髪部材とを備えている。
【発明の効果】
【０００７】
この結果、本発明では、毛髪部材を容易に取り換えることができるので、毛髪部材を切るヘアカット遊びを繰り返すことができる。
【図面の簡単な説明】
【０００８】
【図１】実施例１の人形玩具を側方から見たときの縦断面図である。
【図２】図１におけるＡ−Ａ断面図である。
【図３Ａ】実施例１の人形玩具の頭部本体を示す上面図である。
【図３Ｂ】実施例１の人形玩具の頭部本体を示す下面図である。
【図４】実施例１の人形玩具の毛髪クリップを示す斜視図である。
【図５】実施例１の毛髪クリップの差込途中状態を示す要部断面図である。
【図６】実施例１の人形玩具において、毛髪クリップで毛髪部材を挟んだ状態を示す説明図である。
【図７】実施例１の差込部材の変形例である。
【発明を実施するための形態】
【０００９】
以下、本発明の人形玩具を実施するための形態を、図面に示す実施例１に基づいて説明する。
【００１０】
（実施例１）
まず、構成を説明する。
実施例１における人形玩具１は、外観が人間の肩から上の部分を模したものであり、図１に示すように、頭部本体１０と、パイプ部材２０と、毛髪クリップ３０と、毛髪部材４０とを備えている。以下の説明では、人形玩具１の人間の顔を模した領域に正対したとき、人形玩具１の幅方向（左右方向）をＸで示し、人形玩具１の上下方向（鉛直方向）をＹで示し、人形玩具１の前後方向をＺで示す。
【００１１】
頭部本体１０は、軟質合成樹脂によって形成され、空間Ｋを囲んだ中空体である。この頭部本体１０は、外観が人間の顔及び頭を模している。また、頭部本体１０の下部１０ｂには、凹み部１０ｃが形成されている。この凹み部１０ｃには、外観が人間の首及び肩を模した支持部１１に形成された円柱部１１ａが挿入される。これにより、頭部本体１０と支持部１１とが連結され、頭部本体１０は支持部１１によって下方から支持される。
【００１２】
頭部本体１０は、図１に示すように、上部１０ａに円形の第１開口１２が形成され、下部１０ｂに円形の第２開口１３が形成されている。ここで、第１開口１２及び第２開口１３は、いずれも頭部本体１０を貫通し、空間Ｋを開放している。
【００１３】
第１開口１２は、頭頂部Ｔと額部Ｈとの間であって、幅方向Ｘの中央位置に形成されている。また、第２開口１３は、頭部本体１０の後側下部であって、幅方向Ｘの中央位置に形成されている。さらに、頭部本体１０の上部１０ａには、パイプ部材２０に形成された一対の突部２３がそれぞれ嵌まる一対の嵌合部１４が形成されている（図３Ａ参照）。
【００１４】
一対の嵌合部１４は、図３Ａに示すように、それぞれ第１開口１２の開口縁を前後方向Ｚに沿って矩形状に拡大することで形成されている。なお、この一対の嵌合部１４も、頭部本体１０を貫通している（図１参照）。
【００１５】
パイプ部材２０は、合成樹脂によって形成され、両端が開放した円筒体である。なお、パイプ部材２０は、頭部本体１０よりも硬く、毛髪クリップ３０の基部３１の弾性力に抗して第１，第２脚部３２，３３の開きを抑制する硬度を有している。このパイプ部材２０は、図１及び図２に示すように、頭部本体１０に囲まれた空間Ｋに収容され、一方の端部２０ａの先端が第１開口１２に嵌合し、他方の端部２０ｂが第２開口１３に対向している。
【００１６】
これにより、パイプ部材２０の一方の端部２０ａの端面に開放した第１開口部２１が、頭部本体１０の上部１０ａに開放する。また、他方の端部２０ｂの端面に開放した第２開口部２２が、第２開口１３を介して、頭部本体１０の下部１０ｂに開放する。なお、このパイプ部材２０の全長は、第１開口１２から第２開口１３までの直線長さに等しくなるように設定されている。そのため、パイプ部材２０の他方の端部２０ｂは、第２開口１３に対向した状態で、先端が頭部本体１０の内側面１０ｄに接触する。そして、第１開口１２、第２開口１３、パイプ部材２０によって、頭部本体１０を上下方向に貫通する孔部が形成される。
【００１７】
また、パイプ部材２０の一方の端部２０ａの先端には、径方向に突出した一対の突部２３が形成されている。この一対の突部２３は、それぞれ一対の嵌合部１４に嵌まり込む（図３Ａ参照）。これにより、パイプ部材２０が軸方向を中心に回転しようとすれば、嵌合部１４と突部２３とが干渉するため、パイプ部材２０の回り止めがなされる。
【００１８】
さらに、パイプ部材２０の他方の端部２０ｂの先端には、径方向に突出して第２開口部２２を取り囲む環状のフランジ部２４が形成されている。このフランジ部２４の直径は、第２開口１３の内径よりも大きくなっている（図３Ｂ参照）。これにより、フランジ部２４が頭部本体１０の内側面１０ｄに確実に接触し、パイプ部材２０の第２開口１３からの抜け止めがなされる。
【００１９】
また、パイプ部材２０の中間部には、径方向に突出した環状の段差部２５が形成されている。そして、パイプ部材２０は、第１開口部２１から段差部２５までの領域の内径Ｒ１が、第２開口部２２から段差部２５までの領域の内径Ｒ２よりも大きく設定されている。
【００２０】
毛髪クリップ３０は、第１開口部２１からパイプ部材２０に差し込まれ、先端部が第２開口１３の開口縁１３ａに引っかかることで、頭部本体１０に対して着脱可能に係止される差込部材である。この毛髪クリップ３０は、図４に示すように、基部３１と、第１脚部３２と、第２脚部３３とを有し、合成樹脂によってこれらが一体的に成形されている。
【００２１】
基部３１は、周方向の一部が破断されると共に、周方向に弾性変形可能な環状体である。ここで、「周方向に弾性変形可能」とは、基部３１の周方向中央位置（一端３１ａからの周方向距離と、他端３１ｂからの周方向距離とが等しくなる位置）に形成されたヒンジ部３１ｃを中心に、一端３１ａと他端３１ｂとが弾性力で近づいたり離れたりすることである。
【００２２】
さらに、基部３１の内側面３１ｄには、複数のリブ３４が周方向に並んで形成されている。各リブ３４は、基部３１の中心Ｏに向かって内側面３１ｄから突出し、先端が先細りになっている。
【００２３】
第１脚部３２は、基部３１の周方向の一端３１ａから延びた棒状体である。第１脚部３２の先端部には、第２脚部３３とは反対に突出した爪部３５と、爪部３５と先端３２ａとの間に形成されたツマミ部３５ａとが形成されている。ここで、爪部３５は、係止面３５ｂと、傾斜面３５ｃとを有している。係止面３５ｂは、基部３１に臨み、第１脚部３２の外側面３２ｂにほぼ直交する面である。傾斜面３５ｃは、先端３２ａに臨み、第１脚部３２の外側面３２ｂに対して傾斜した面である。なお、外側面３２ｂと傾斜面３５ｃとでなす角θ１は、鋭角に設定されている。また、ツマミ部３５ａは、第１脚部３２の外側面３２ｂと平行な押圧面を有する板形状を呈している。
【００２４】
第２脚部３３は、基部３１の周方向の他端３１ｂから延びた棒状体である。第２脚部３３の先端部には、第１脚部３２とは反対に突出した爪部３６と、爪部３６と先端３３ａとの間に形成されたツマミ部３６ａとが形成されている。ここで、爪部３６は、係止面３６ｂと、傾斜面３６ｃとを有している。係止面３６ｂは、基部３１に臨み、第２脚部３３の外側面３３ｂにほぼ直交する面である。傾斜面３６ｃは、先端３３ａに臨み、第２脚部３３の外側面３３ｂに対して傾斜した面である。なお、外側面３３ｂと傾斜面３６ｃとでなす角θ２は、鋭角に設定されている。また、ツマミ部３６ａは、第２脚部３３の外側面３３ｂと平行な押圧面を有する板形状を呈している。
【００２５】
そして、この毛髪クリップ３０は、図４に示すように、基部３１の自然状態（基部３１に弾性力が作用していない状態）で、第１脚部３２と第２脚部３３とが一定の間隔を開けた状態に保持される。ここで、第１脚部３２と第２脚部３３との間隔は、基部３１が自然状態のとき、基部３１から先端３２ａ及び先端３３ａに向かうにつれて次第に広くなる。そして、第１脚部３２の先端３２ａと第２脚部３３の先端３３ａとの間隔（以下、「先端間隔Ｗ１」という）は、基部３１の自然状態で第１開口部２１の内径Ｒ１よりも大きくなる。
【００２６】
また、毛髪クリップ３０の基部３１は、この基部３１の弾性力に抗して第１脚部３２と第２脚部３３とが近接することで縮小する。そして、図５に示すように、第１脚部３２と第２脚部３３とが近接した毛髪クリップ３０の閉じ状態での幅Ｗ２は、毛髪クリップ３０をパイプ部材２０へ差し込んだ途中の状態（以下、「差し込み途中状態」という）で、第１開口部２１の内径Ｒ１及び第２開口部２２の内径Ｒ２の双方よりも小さくなるように設定されている。なお、「毛髪クリップ３０の閉じ状態での幅Ｗ２」とは、基部３１の弾性力に抗して第１脚部３２と第２脚部３３とが近接した状態での、第１，第２脚部３２，３３間の最大幅寸法である。このとき、第１脚部３２と第２脚部３３とは、自然状態よりも近接していればよく、互いに接触するまで近接していてもよい。
【００２７】
そして、この毛髪クリップ３０は、基部３１の弾性力により、第１脚部３２と第２脚部３３とを互いに反発させ、第１脚部３２及び第２脚部３３をパイプ部材２０の内側面に押し付けることで、頭部本体１０に対して係止される。
【００２８】
また、毛髪クリップ３０の全長（ヒンジ部３１ｃから第１脚部３２の先端３２ａ及び第２脚部３３の先端３３ａまでの長さ）は、パイプ部材２０の全長（軸方向長さ）よりも長く設定されている。このため、この毛髪クリップ３０は、図２に示すように、基部３１のヒンジ部３１ｃが第１開口部２１に入り込むまでパイプ部材２０に差し込んだ状態（以下「差し込み完了状態」という）で、第１脚部３２及び第２脚部３３の先端部が第２開口部２２から頭部本体１０の下方に突出する。そして、第１脚部３２に形成された爪部３５及び、第２脚部３３に形成された爪部３６は、この差し込み完了状態で、いずれも第２開口１３から突出する。そして、基部３１の弾性力で第１脚部３２と第２脚部３３とが反発し、毛髪クリップ３０の閉じ状態での幅Ｗ２が第２開口部２２の内径Ｒ２よりも大きくなることで、これらの爪部３５，３６は、それぞれ第２開口１３の開口縁１３ａに引っ掛かる（図２参照）。つまり、この第２開口１３の開口縁１３ａが、爪部３５，３６を係止する係止部に相当する。
【００２９】
毛髪部材４０は、例えばアクリルやポリエステル等の毛糸や、ポリ塩化ビニルやレーヨン等のからなる人工毛、人毛等からなる繊維材である。この毛髪部材４０は、任意の長さを有しており、図６に示すように、多数を束ねた状態で長さ方向の中間部が毛髪クリップ３０の基部３１によって挟まれている。そして、毛髪部材４０は、毛髪クリップ３０の第１脚部３２と第２脚部３３とが近接し、基部３１が縮小することで毛髪クリップ３０に保持される。
【００３０】
次に、作用を説明する。
人形玩具１は、頭部本体１０に設けられた毛髪部材４０を切ったり、飾ったりして遊ぶ玩具である。この人形玩具１を用いて遊ぶときには、予め頭部本体１０の内部（空間Ｋ）にパイプ部材２０を配置する。
【００３１】
このとき、パイプ部材２０は、他方の端部２０ｂから頭部本体１０の第１開口１２を介して空間Ｋに挿入される。ここでパイプ部材２０は、他方の端部２０ｂの先端が、第２開口１３に対向した状態で頭部本体１０の内側面１０ｄに接触するまで挿入される。また、パイプ部材２０の一方の端部２０ａに形成された一対の突部２３は、頭部本体１０の上部１０ａに形成された嵌合部１４に嵌め込まれる。これにより、パイプ部材２０は、軸方向を中心とした回り止めがなされると共に、第２開口１３からの抜け止めがなされる。
【００３２】
一方、人形玩具１の使用者は、所定量の毛髪部材４０を束ね、この束ねられた毛髪部材４０の長さ方向の中間部を、毛髪クリップ３０の基部３１の内側に押し込む。ここで、毛髪クリップ３０は、基部３１が自然状態のとき、第１脚部３２と第２脚部３３との間隔が、基部３１から先端３２ａ及び先端３３ａに向かうにつれて次第に広くなっている。そのため、基部３１の内側に毛髪部材４０を容易に押し込むことができる。
【００３３】
次に、人形玩具１の使用者は、基部３１の弾性力に抗して第１脚部３２と第２脚部３３とを近接させ、基部３１を縮小させる。これにより、毛髪部材４０は、基部３１によって挟み込まれ、毛髪クリップ３０に保持される。しかも、ここでは、基部３１の内側面３１ｄに基部３１の中心Ｏに向かって突出した複数のリブ３４が形成されている。そのため、これらのリブ３４によって毛髪部材４０を挟持することができ、リブ３４が形成されていない場合と比較して、毛髪部材４０の保持性能を向上することができる。
【００３４】
そして、人形玩具１の使用者は、第１脚部３２と第２脚部３３とを近接させたまま、毛髪クリップ３０をパイプ部材２０に差し込んでいく。このとき、毛髪クリップ３０は、先端３２ａ，３３ａから第１開口部２１に差し込まれ、パイプ部材２０の内部へと挿入される。なお、ここでは、爪部３５，３６がいずれも傾斜面３５ｃ，３６ｃを有している。そのため、爪部３５，３６が第１開口部２１に引っ掛かることなく、毛髪クリップ３０を円滑に差し込むことができる。
【００３５】
また、毛髪クリップ３０は、基部３１が自然状態のときの先端間隔Ｗ１が第１開口部２１の内径Ｒ１よりも大きくなっていることから、第１脚部３２と第２脚部３３とを近接させなければ、第１開口部２１に差し込むことができない。つまり、毛髪クリップ３０は、パイプ部材２０に差し込まれたとき、このパイプ部材２０の内周面に第１，第２脚部３２，３３が干渉し、第１脚部３２と第２脚部３３とが自然状態よりも近接した状態で維持される。さらに、図５に示すように、差し込み途中状態では、毛髪クリップ３０の閉じ状態での幅Ｗ２が、第１開口部２１の内径Ｒ１及び第２開口部２２の内径Ｒ２の双方よりも小さくなるように設定されている。そのため、人形玩具１の使用者は、毛髪クリップ３０によって毛髪部材４０を確実に保持したまま、パイプ部材２０の内側に引っ掛かることがなく、この毛髪クリップ３０をパイプ部材２０の内部に円滑に差し込んでいくことができる。
【００３６】
そして、基部３１のヒンジ部３１ｃが第１開口部２１に入り込み、毛髪クリップ３０の先端３２ａ，３３ａ及び爪部３５，３６が第２開口部２２から突出し、毛髪クリップ３０の差し込み動作が完了する。これにより、基部３１の弾性力によって第１脚部３２と第２脚部３３とが反発し、毛髪クリップ３０の閉じ状態での幅Ｗ２は第２開口部２２の内径Ｒ２よりも大きくなる。そのため、爪部３５，３６は、それぞれ第２開口１３の開口縁１３ａに引っ掛かる。そして、毛髪クリップ３０は、頭部本体１０に対して係止される。
【００３７】
このように、爪部３５，３６が第２開口１３の開口縁１３ａに引っ掛かることで、毛髪クリップ３０を頭部本体１０に対して係止できるので、毛髪クリップ３０を頭部本体１０に対して容易に係止することができる。また、毛髪クリップ３０は、爪部３５，３６が第２開口１３の開口縁１３ａに引っ掛けられて係止される。このため、例えば、基部３１に弾性力によって第１，第２脚部３２，３３をパイプ部材２０の内周面に押し付けて毛髪クリップ３０を係止する場合よりも、毛髪クリップ３０を外れにくくすることができ、この毛髪クリップ３０をより確実に係止することができる。
【００３８】
しかも、実施例１では、爪部３５が第１脚部３２の外側面３２ｂにほぼ直交する係止面３５ｂを有し、爪部３６が第２脚部３３の外側面３３ｂにほぼ直交する係止面３６ｂを有している。そのため、爪部３５，３６は、図２に示すように、第２開口１３の開口縁１３ａからさらに外れにくくなり、毛髪クリップ３０の係止性能をさらに向上することができる。
【００３９】
なお、毛髪クリップ３０がパイプ部材２０に差し込まれ、頭部本体１０に対して係止された状態であっても、第１脚部３２及び第２脚部３３は基部３１の弾性力に抗して近接したままになっている。そのため、基部３１は縮小しており、毛髪部材４０は、毛髪クリップ３０によって保持され、抜けたり外れたりすることはない。
【００４０】
そして、毛髪部材４０は、毛髪クリップ３０が頭部本体１０に係止されたとき、第２開口部２２から頭部本体１０の外部に露出し、頭部本体１０の上部１０ａを覆う。これにより、毛髪部材４０によって、人間の頭髪を模すことができる。そして、人形玩具１の使用者は、毛髪部材４０を自由に切って長さを変えたり、毛髪部材４０をリボンやゴムで飾ったりすることで、いわゆるヘアカット遊びやヘアアレンジ遊びを行うことができる。
【００４１】
なお、ここでは、パイプ部材２０の中間部に段差部２５が形成され、第１開口部２１から段差部２５までの領域の内径Ｒ１が、第２開口部２２から段差部２５までの領域の内径Ｒ２よりも大きく設定されている。そのため、基部３１に毛髪部材４０を挟み込んだ状態であっても、基部３１を第１開口部２１の内部に差し込むことができる。これにより、基部３１が頭部本体１０の表面から突出することがなく、毛髪部材４０を自然な状態に整えることができる。
【００４２】
そして、毛髪部材４０を切ってしまうと毛髪部材４０が短くなり、人形玩具１は短髪状態になる。これに対し、人形玩具１の使用者は、まず、第２開口部２２から突出し、頭部本体１０の外部に露出しているツマミ部３５ａ，３６ａに指先を引っ掛ける。そして、これらのツマミ部３５ａ，３６ａを互いに近接させる。これにより、第１脚部３２及び第２脚部３３は基部３１の弾性力に抗して近接し、毛髪クリップ３０の閉じ状態での幅Ｗ２が第２開口部２２の内径Ｒ２よりも小さくなる。人形玩具１の使用者は、この状態で先端３２ａ，３３ａが第２開口部２２の内部に入り込むまで毛髪クリップ３０を押す。これにより、毛髪クリップ３０は、軸方向に移動して基部３１が第１開口部２１から突出する。
【００４３】
基部３１が第１開口部２１から突出したら、人形玩具１の使用者は、この基部３１を引っ張り、毛髪クリップ３０をパイプ部材２０から引き抜く。これにより、毛髪クリップ３０を頭部本体１０から取り外すことができる。
【００４４】
パイプ部材２０から引き抜かれた毛髪クリップ３０は、基部３１の弾性力によって第１脚部３２と第２脚部３３とが離れ、基部３１が縮小状態から自由状態へと変化する。これにより、基部３１による毛髪部材４０を挟み込む力が弱まり、基部３１の内側から毛髪部材４０を取り出すことができる。そして、すべての毛髪部材４０を取り出したら、新たな毛髪部材４０を基部３１の内側に押し込み、再び第１脚部３２と第２脚部３３とを近接させれば、新たな毛髪部材４０を毛髪クリップ３０に保持することができる。そして、この毛髪クリップ３０をパイプ部材２０に差し込んで係止することで、頭部本体１０に新たな毛髪部材４０を装着することができる。
【００４５】
この結果、人形玩具１では、短くなった毛髪部材４０を、任意の長さの毛髪部材４０に容易に取り換えることができる。そのため、毛髪部材４０を切るヘアカット遊びを繰り返し行うことができる。
【００４６】
また、ここでは、頭部本体１０に形成された孔部（第１開口１２，第２開口１３，パイプ部材２０）に差し込まれ、頭部本体１０に対して着脱可能に係止される差込部材として、周方向の一部が破断されると共に周方向に弾性変形可能な環状の基部３１と、基部３１の一端３１ａから延びる第１脚部３２と、基部３１の他端３１ｂから延びる第２脚部３３とを有し、基部３１の弾性力に抗して第１脚部３２と第２脚部３３とが近接する毛髪クリップ３０を用いている。
そして、この毛髪クリップ３０は、先端間隔Ｗ１が、基部３１の自然状態で第１開口部２１の内径Ｒ１よりも大きくなる。また、第１脚部３２と第２脚部３３とが近接した閉じ状態での幅Ｗ２が、差し込み途中状態で第１開口部２１の内径Ｒ１及び第２開口部２２の内径Ｒ２よりも小さくなるように設定される。さらに、この毛髪クリップ３０は、基部３１の弾性力により頭部本体１０に対して係止される。
【００４７】
そのため、毛髪クリップ３０が、毛髪部材４０を着脱可能に保持する機能と、頭部本体１０に対して着脱可能に係止する機能とを有することになり、毛髪部材４０の取り換えをさらに容易に行うことができる。しかも、この毛髪クリップ３０は、基部３１と、第１脚部３２と、第２脚部３３とを、合成樹脂によって一体成型している。そのため、毛髪クリップ３０が一部品となり、部品数の低減を図ることができる。
【００４８】
また、この人形玩具１では、パイプ部材２０が頭部本体１０を上下方向に貫通し、頭部本体１０の上部１０ａに開放した第１開口部２１と、頭部本体１０の下部１０ｂに開放した第２開口部２２とを有している。一方、毛髪クリップ３０は、差し込み完了状態で、第１脚部３２及び第２脚部３３の先端部に形成されたツマミ部３５ａ，３６ａが第２開口部２２から頭部本体１０の下方に突出する。
【００４９】
これにより、毛髪クリップ３０を取り外す際、頭部本体１０の外側からツマミ部３５ａ，３６ａを操作し、第１脚部３２と第２脚部３３とを近接させることができる。そのため、毛髪クリップ３０の取り外し操作を容易に行うことができ、毛髪部材４０をさらに容易に取り換えることができる。なお、ここでは、第１脚部３２及び第２脚部３３の先端部にツマミ部３５ａ，３６ａを形成したことで、第１脚部３２と第２脚部３３との近接操作の操作性を向上することができる。
【００５０】
次に、効果を説明する。
実施例１の人形玩具１にあっては、下記に列挙する効果を得ることができる。
【００５１】
（１）人形用の頭部本体１０と、
頭部本体１０に形成された孔部（第１開口１２，第２開口１３，パイプ部材２０）と、
孔部（第１開口１２，第２開口１３，パイプ部材２０）に差し込まれ、頭部本体１０に対して着脱可能に係止される差込部材（毛髪クリップ３０）と、
差込部材（毛髪クリップ３０）に着脱可能に保持され、差込部材（毛髪クリップ３０）が孔部（第１開口１２，第２開口１３，パイプ部材２０）に差し込まれた状態で、孔部（第１開口１２，第２開口１３，パイプ部材２０）から露出する毛髪部材４０と、を備えた構成とした。
これにより、毛髪部材４０を容易に取り換えることができ、毛髪部材４０を自由に切るヘアカット遊びを繰り返すことができる。
【００５２】
（２）差込部材は、周方向の一部が破断されると共に周方向に弾性変形可能な環状の基部３１と、基部３１の一端３１ａから延びる第１脚部３２と、基部３１の他端３１ｂから延びる第２脚部３３とを有し、基部３１の弾性力に抗して第１脚部３２と第２脚部３３とが近接する毛髪クリップ３０であり、
毛髪クリップ３０は、第１脚部３２と第２脚部３３との先端間隔Ｗ１が、基部３１の自然状態で孔部（第１開口１２，第２開口１３，パイプ部材２０）の内径Ｒ１，Ｒ２よりも大きくなり、第１脚部３２と第２脚部３３とが近接したときの幅Ｗ２が、孔部（第１開口１２，第２開口１３，パイプ部材２０）への差し込み途中状態で孔部（第１開口１２，第２開口１３，パイプ部材２０）の内径Ｒ１，Ｒ２よりも小さくなるように設定されると共に、基部３１の弾性力により頭部本体１０に対して係止される構成とした。
これにより、毛髪部材４０を着脱可能に保持する機能と、頭部本体１０に対して着脱可能に係止する機能とを差込部材に持たせることができ、毛髪部材４０の取り換えをさらに容易に行うことができる。
【００５３】
（３）毛髪クリップ３０は、第１脚部３２の先端部と第２脚部３３の先端部とのそれぞれに、互いに反対方向に突出した爪部３５，３６が形成され、
孔部（第１開口１２，第２開口１３，パイプ部材２０）は、爪部３５，３６を係止する係止部（第２開口１３の開口縁１３ａ）を有する構成とした。
これにより、毛髪クリップ３０を頭部本体１０に対してより確実に係止することができる。
【００５４】
（４）孔部（第１開口１２，第２開口１３，パイプ部材２０）は、頭部本体１０を上下方向に貫通し、頭部本体１０の上部１０ａに開放した第１開口部２１と、頭部本体１０の下部１０ｂに開放した第２開口部２２とを有し、
毛髪クリップ３０は、孔部（第１開口１２，第２開口１３，パイプ部材２０）への差し込み完了状態で、第１脚部３２の先端部（ツマミ部３５ａ）及び第２脚部３３の先端部（ツマミ部３６ａ）が第２開口部２２から突出する構成とした。
これにより、頭部本体１０の外部から毛髪クリップ３０の取り外し操作を行うことができ、毛髪部材４０をさらに容易に取り換えることができる。
【００５５】
（５）毛髪クリップ３０は、基部３１の内側面３１ｄから中心Ｏに向けて突出した複数のリブ３４が形成されている構成とした。
これにより、複数のリブ３４の間に毛髪部材４０を挟み込むことができて、毛髪部材４０の保持性能を向上することができる。
【００５６】
以上、本発明の人形玩具を実施例１に基づいて説明してきたが、具体的な構成については、この実施例に限られるものではなく、特許請求の範囲の各請求項に係る発明の要旨を逸脱しない限り、設計の変更や追加等は許容される。
【００５７】
実施例１では、弾性変形可能な基部３１と、第１，第２脚部３２，３３とを有する毛髪クリップ３０を差込部材とし、この毛髪クリップ３０を用いて毛髪部材４０を頭部本体１０に対して着脱可能に装着する例を示したが、これに限らない。例えば、図７に示すように、一端部５１が鉤状に屈曲され、他端部５２の先端に径方向に延びる留部５３が形成された棒状の差込部材５０を用いてもよい。この場合、鉤状の一端部５１に毛髪部材４０を引っ掛けて毛髪部材４０を保持する。また、第２開口１３を留部５３が挿通可能なスリット状に形成する。そして、差込部材５０をパイプ部材２０に差し込み、留部５３を第２開口１３から突出させたら、差込部材５０を軸方向中心に９０°回転させる。これにより、留部５３が第２開口１３の開口縁１３ａに干渉することができ、差込部材５０が係止される。
【００５８】
また、実施例１では、基部３１が自然状態のとき、第１脚部３２と第２脚部３３との間隔が基部３１から先端３２ａ及び先端３３ａに向かうにつれて次第に広くなる例を示したが、これに限らない。例えば、基部３１が自然状態のときの第１脚部３２と第２脚部３３との間隔を、基部３１から先端３２ａ及び先端３３ａまでの間一定になるように設定してもよい。
【００５９】
また、実施例１では、パイプ部材２０の他方の端部２０ｂを頭部本体１０の内側面１０ｄに接触させる一方、パイプ部材２０を貫通した毛髪クリップ３０の先端部に形成された爪部３５，３６を第２開口１３の開口縁１３ａに引っ掛けて、毛髪クリップ３０を係止する例を示した。つまり、実施例１の人形玩具１では、パイプ部材２０の他方の端部２０ｂを頭部本体１０の内部に収め、毛髪クリップ３０を頭部本体１０に直接引っ掛ける例を示した。しかしながら、これに限らず、例えば、パイプ部材２０の他方の端部２０ｂを第２開口１３に嵌合させ、毛髪クリップ３０の先端部に形成された爪部３５，３６を第２開口部２２の開口縁に引っ掛けてもよい。
【００６０】
さらに、第２開口１３の開口縁１３ａ等の爪部３５，３６が引っ掛かる位置に、段差や凹部を形成し、爪部３５，３６の位置ずれを防止してもよい。これにより、毛髪クリップ３０が軸方向を中心として回転することを防止できる。さらに、毛髪クリップ３０の軸方向を中心とする回転方向の位置決めを容易に行うことができる。なお、毛髪クリップ３０の回転方向の位置に応じて、毛髪部材４０の分け目の方向が決定される。
【００６１】
そして、実施例１の人形玩具１では、軟質合成樹脂製の中空体である頭部本体１０にパイプ部材２０を収容し、頭部本体１０に形成された第１開口１２及び第２開口１３と、このパイプ部材２０とによって孔部を構成する例を示した。しかしながら、これに限らない。例えば、頭部本体を無垢の木材等で形成し、この木製の頭部本体の周面に孔部を形成してもよい。また、孔部は、頭部本体を貫通していなくてもよく、例えば、支持部１１に形成された円柱部１１ａが挿入される凹み部１０ｃのように、頭部本体１０の内部で閉鎖されていてもよい。
【００６２】
さらに、人形玩具１は、実施例１では外観が人間の肩から上の部分を模したものとする例を示したが、人間等の全身を模したものであってもよい。さらに、人形玩具として、例えば長毛犬等の動物などを模してものであってもよい。
【符号の説明】
【００６３】
１      ：人形玩具
１０    ：頭部本体
１０ａ  ：上部
１０ｂ  ：下部
１２    ：第１開口（孔部）
１３    ：第２開口（孔部）
２０    ：パイプ部材（孔部）
２０ａ  ：端部
２０ｂ  ：端部
２１    ：第１開口部
２２    ：第２開口部
３０    ：毛髪クリップ（差込部材）
３１    ：基部
３１ａ  ：一端
３１ｂ  ：他端
３２    ：第１脚部
３２ａ  ：先端
３３    ：第２脚部
３３ａ  ：先端
３４    ：リブ
３５    ：爪部
３６    ：爪部
４０    ：毛髪部材
【図１】
2019187889.tif 000003
【図２】
2019187889.tif 000004
【図３Ａ】
2019187889.tif 000005
【図３Ｂ】
2019187889.tif 000006
【図４】
2019187889.tif 000007
【図５】
2019187889.tif 000008
【図６】
2019187889.tif 000009
【図７】
2019187889.tif 000010
【手続補正書】
【提出日】平成30年5月18日(2018.5.18)
【手続補正１】
【補正対象書類名】明細書
【補正対象項目名】００４０
【補正方法】変更
【補正の内容】
【００４０】
そして、毛髪部材４０は、毛髪クリップ３０が頭部本体１０に係止されたとき、第１開口部２１から頭部本体１０の外部に露出し、頭部本体１０の上部１０ａを覆う。これにより、毛髪部材４０によって、人間の頭髪を模すことができる。そして、人形玩具１の使用者は、毛髪部材４０を自由に切って長さを変えたり、毛髪部材４０をリボンやゴムで飾ったりすることで、いわゆるヘアカット遊びやヘアアレンジ遊びを行うことができる。